(57)【要約】本発明は、受信器モジュール（８）、及び、アンテナ（２）と受信器モジュール（８）との間に配置されたカップリング・モジュール（１０）を備える少なくとも１個のアンテナ（２）をサンプリングする方法に関する。カップリング・モジュール（１０）を介して、アンテナ（２）及び受信器モジュール（８）に対しサンプリング信号としてノイズ信号（Ｓ）が供給される。少なくとも１個のアンテナ（２）を通過することなく第一の経路（Ｓ、Ｓ１）を介してサンプリングモジュール（１２）へ到達する第一のノイズ信号と、ノイズ源（１８）から少なくとも１個のアンテナ（２）を通過する第二の経路（Ｓ’、Ｓ２）を介して前記サンプリングモジュール（１２）へ到達する第二のノイズ信号との関係を示す瞬間伝送係数Ｕｖが次いでサンプリングモジュール（１２）により決定され、伝送行列（１４）に保存されている基準伝送係数Ｕｖｉｎｏｒｍと比較される。本発明の方法を実行するシステムも開示する。
2005518172.tif 000002
【特許請求の範囲】
【請求項１】
受信器モジュール（８）と、少なくとも１個のアンテナ（２）と前記受信器モジュール（８）との間に配置されたカップリング・モジュール（１０）を有するシステムにおけるアンテナをテストする方法であって、
前記カップリング・モジュール（１０）により、前記アンテナ（２）及び前記受信器モジュール（８）に対しテスト信号としてノイズ信号（Ｓ）を少なくとも１個のノイズ信号源（１８）から供給し、
前記ノイズ源（１８）から、前記少なくとも１個のアンテナ（２）を通さずに第一の経路（Ｓ、Ｓ１）を介して前記テストモジュール（１２）へ渡される第一のノイズ信号と、前記少なくとも１個のアンテナ（２）を通る第二の経路（Ｓ’、Ｓ２）を介して前記テストモジュール（１２）へ渡される第二のノイズ信号、との比率を示す瞬間伝送係数（Ｕｖ）をテストモジュール（１２）により決定し、
伝送行列（１４）に保存されている基準伝送係数（Ｕｖｉｎｏｒｍ）と比較することを特徴とする少なくとも１個のアンテナをテストする方法。
【請求項２】
前記少なくとも１個のノイズ源（１８）として未較正ノイズ源を用いることを特徴とする請求項１に記載の方法。
【請求項３】
切り替え可能カップリング回路（４４）により前記第一の経路（Ｓ１）と前記第二の経路（Ｓ２）とを切り替えことにより前記ノイズ信号が第一及び第二の経路（Ｓ１、Ｓ２）の各々に供給し、
前記ノイズ信号を前記第一の経路（Ｓ１）を介して前記受信器（８）に直接供給し、
前記少なくとも１個のアンテナ（２）から反射されたノイズ信号が前記ノイズ信号に重畳されて、前記第二の経路（Ｓ２）を介して前記受信器（８）に供給され、
前記伝送行列に基づいて前記第二のノイズ信号を検出して前記第一のノイズ信号の周波数特性と比較することを特徴とする請求項２に記載の方法。
【請求項４】
切り替え可能カップリング回路（４４）により前記ノイズ信号が前記第一及び第二の経路（Ｓ１、Ｓ２）に供給され、前記少なくとも１個のアンテナ（２）で反射されたノイズ信号がインピーダンス（Ｚ）において前記ノイズ信号と重畳し、
前記第一の経路（Ｓ１）と前記第二の経路（Ｓ２）とが切り替わることで、前記ノイズ信号が前記第一の経路（Ｓ１）を介して前記受信器（８）に直接渡され、
前記少なくとも１個のアンテナ（２）から反射されたノイズ信号が前記ノイズ信号に重畳されて前記第二の経路（Ｓ２）を介して前記受信器（８）に渡され、
前記伝送行列に基づいて前記第二のノイズ信号が検出されて、前記第一のノイズ信号の周波数特性と比較されることを特徴とする請求項２に記載の方法。
【請求項５】
信号フローの方向が切り替え可能な指向性カップリング・ネットワーク（４８）により前記ノイズ信号が前記第一の経路または第二の経路（Ｓ１、Ｓ２）に供給され、
前記第一の経路（Ｓ１）と前記第二の経路（Ｓ２）とが切り替わることで、前記受信器（８）における評価を目的として、前記ノイズ源（１８）からの前記ノイズ信号が第一のノイズ信号として利用可能とし、
前記アンテナ（２）で反射される前記ノイズ信号（Ｓ２）を第二のノイズ信号として利用可能としたことを特徴とする請求項２に記載の方法。
【請求項６】
前記第一の経路（Ｓ１）と前記第二の経路（Ｓ２）との切り替えは、前記指向性カップリング・ネットワーク（４８）の入力部で実行されるのではなく、前記第一の経路（Ｓ１）内に追加された切り替え装置（４９）及び第二の経路（Ｓ２）内の切り替え可能増幅器により実行されることを特徴とする請求項５に記載の方法。
【請求項７】
前記少なくとも１個のノイズ源（１８）として周波数特性が既知である較正済みノイズ源を用い、
前記第一及び第二のノイズ信号を重畳させた信号を典型的な周波数特性の形式で前記テストモジュール（１２）に供給し、
前記典型的な周波数特性が前記較正済みノイズ源の前記既知周波数特性と比較されることを特徴とする請求項１に記載の方法。
【請求項８】
前記受信器モジュール（８）と接続されず、かつ、前記ノイズ信号（Ｓ）の供給を受けて前記ノイズ信号（Ｓ）をテスト信号として前記少なくとも１個のアンテナ（２）へ送るアンテナを追加したことを特徴とする請求項１〜７のいずれか一項に記載の方法。
【請求項９】
２個以上のアンテナ（２）を有する多アンテナ系（４）において、個々のアンテナ（２）で各々反射されたノイズ信号（Ｓ２）及び／または前記アンテナ（２）間を伝送されたノイズ信号（Ｓ’、Ｓ２）が前記第二のノイズ信号として評価されることを特徴とする請求項１〜８のいずれか一項に記載の方法。
【請求項１０】
前記伝送係数（Ｕｖｉ）及び基準伝送係数（Ｕｖｉｎｏｒｍ）が、周波数解析及び／またはレベル解析により決定されることを特徴とする請求項１〜９のいずれか一項に記載の方法。
【請求項１１】
受信器モジュール（８）と、少なくとも１個のアンテナ（２）と、前記アンテナ（２）と前記受信器モジュール（８）との間に配置されたカップリング・モジュール（１０）を有するシステムであって、
前記カップリング・モジュール（１０）は、前記受信器モジュール（８）に対しノイズ信号（Ｓ）を供給する少なくとも１個のノイズ信号源（１８）を有し、
前記受信機モジュール（８）は、前記少なくとも１個のアンテナ（２）を通さずに第一の経路（Ｓ、Ｓ１）を介してテストモジュール（１２）へ渡される第一のノイズ信号と、前記ノイズ源（１８）から、前記少なくとも１個のアンテナ（２）を通る第二の経路（Ｓ’、Ｓ２）を介してテストモジュール（１２）へ渡される第二のノイズ信号との比率を示す瞬間伝送係数（Ｕｖ）が決定し、前記瞬間伝送係数（Ｕｖｉ）を、伝送行列（１４）に保存されている基準伝送係数（Ｕｖｉｎｏｒｍ）と比較するテストモジュール（１２）を有することを特徴とする少なくとも１個のアンテナをテストするシステム。
【請求項１２】
前記少なくとも１個のノイズ源（１８）が未較正ノイズ源であることを特徴とする請求項１１に記載のシステム。
【請求項１３】
切り替え可能カップリング回路（４４）を更に含み、
それにより前記ノイズ信号を前記第一及び／または第二の経路（Ｓ１、Ｓ２）に供給し、前記第一の経路（Ｓ１）と前記第二の経路（Ｓ２）とが切り替わることで、前記ノイズ信号が前記第一の経路（Ｓ１）を介して前記受信器（８）に直接供給し、
前記少なくとも１個のアンテナ（２）から反射されて前記ノイズ信号と重畳されたノイズ信号を前記第二の経路（Ｓ２）を介して前記受信器（８）に供給し、
前記テストモジュール（１２）が前記伝送行列に基づいて前記第二のノイズ信号を検出し、それを前記第一のノイズ信号の周波数特性と比較することを特徴とする請求項１２に記載のシステム。
【請求項１４】
切り替え可能カップリング回路（４４）を更に含み、
それにより前記ノイズ信号を前記第一の経路または第二の経路（Ｓ１、Ｓ２）に供給し、前記少なくとも１個のアンテナ（２）で反射されたノイズ信号をインピーダンス（Ｚ）において前記ノイズ信号と重畳し、前記第一の経路（Ｓ１）と前記第二の経路（Ｓ２）とが切り替わることで、前記ノイズ信号が前記第一の経路（Ｓ１）を介して前記受信器（８）に直接供給し、
前記少なくとも１個のアンテナ（２）から反射されて前記ノイズ信号に重畳された前記ノイズ信号を前記第二の経路（Ｓ２）を介して前記受信器（８）に供給し、
前記テストモジュール（１２）が前記伝送行列に基づいて前記第二のノイズ信号を検出し、それを前記第一のノイズ信号の周波数特性と比較することを特徴とする請求項１２に記載のシステム。
【請求項１５】
信号フローの方向が切り替え可能な指向性カップリング・ネットワーク（４８）を更に有し、それにより前記ノイズ信号を前記第一または第二の経路（Ｓ１、Ｓ２）に供給し、前記第一の経路（Ｓ１）と前記第二の経路（Ｓ２）とを切り替えることで、前記テストモジュール（１２）における評価を目的として、前記ノイズ源（１８）からの前記ノイズ信号が前記第一のノイズ信号として利用可能とし、前記アンテナ（２）で反射される前記ノイズ信号（Ｓ２）が前記第二のノイズ信号として利用可能になることを特徴とする請求項１２に記載のシステム。
【請求項１６】
前記切り替え装置（４９）が前記第一の経路（Ｓ１）に形成され、前記切り替え可能増幅器が前記第二の経路（Ｓ２）に形成され、それにより、前記指向性カップリング・ネットワーク（４８）の入力部へ切り替えるのではなく、前記第一の経路（Ｓ１）と前記第二の経路（Ｓ２）とが切り替え可能とされたことを特徴とする請求項１５に記載のシステム。
【請求項１７】
前記少なくとも１個のノイズ源（１８）は、周波数特性が既知の較正済みノイズ源であることを特徴とする請求項１１に記載のシステム。
【請求項１８】
カップリング・ネットワーク（２４）を設け、これにより前記ノイズ信号を前記アンテナ（２）から前記テストモジュール（１２）へ向かう経路に供給し、前記第一及び前記第二のノイズ信号（Ｓ１＋Ｓ２）を重畳し、前記重畳から典型的な周波数特性を得、
前記テストモジュール（１２）が、前記典型的な周波数特性を前記較正済みノイズ源の前記既知周波数特性と比較することを特徴とする請求項１７に記載のシステム。
【請求項１９】
指向性カップリング回路（４６）を設け、前記ノイズ信号を、前記少なくとも１個のアンテナ（２）から前記テストモジュール（１２）へ向かう経路に供給可能とし、前記第二のノイズ信号（Ｓ２）だけが検出し、
前記テストモジュール（１２）が前記第二のノイズ信号から生じた前記典型的な周波数特性を前記較正済みノイズ源の前記既知周波数特性と比較することを特徴とする請求項１７に記載のシステム。
【請求項２０】
前記ノイズ信号（Ｓ）をテスト信号として前記少なくとも１個のアンテナ（２）へ送るべく、前記受信器モジュール（８）と一切接続していないアンテナを更に設け、
前記カップリング・モジュール（１０）が前記ノイズ信号（Ｓ）を前記追加アンテナに供給することを特徴とする請求項１１〜１９のいずれか一項に記載のシステム。
【請求項２１】
少なくとも１個のアンテナ（２）と接続すために、前記カップリング・モジュール（１０）が少なくとも１個のＲＦスイッチ（２０）を有することを特徴とする請求項１１〜２０のいずれか一項に記載のシステム。
【請求項２２】
多アンテナ系（４）の場合の前記伝送行列（１４）が、アンテナ（２）の個数と一致するアンテナ２の対（ｎ、ｍ）として多数の伝送アンテナ２（n）及び受信アンテナ２（ｍ）を含むことを特徴とする請求項１１〜２１のいずれか一項に記載のシステム。
【発明の詳細な説明】
【技術分野】
【０００１】
本発明は少なくとも１個のアンテナ、特に車両上の多アンテナ系をテストする方法及び装置に関する。
【背景技術】
【０００２】
車両搭載アンテナの個数が増えるにつれて、アンテナ系の機能テストを実施することが必要となりつつある。このような機能テストは通常、取り外した状態で実施される。これまでアンテナを設置した状態での機能テストは特に複雑であり、特に膨大な労力を必要とした。例えば、特許文献１に、移動ラジオ放送受信システムを設置した状態で機能テストを行なう回路構成が記述されている。この回路構成の短所は、テスト信号を生成するために較正済み信号ジェネレータを備えていて、当該信号ジェネレータは、受信器が同調している周波数だけで離散的なテスト信号を伝送する点である。さらに、同出願に記述されている回路構成は、雪や氷等、外界の影響を考慮する診断には適していない。
【０００３】
さらに、信号送信器／受信器、例えば受信アンテナをテストするシステムは特許文献２により公知である。この場合、テスト信号源として擬似乱数ノイズ信号源が用いられる。損傷を受けた受信アンテナから反射された信号を処理して、これを元のテスト信号と比較するために当該システムでは複雑な回路を用いる。この目的のために何よりも相関受信器が必要である。しかし、相関受信器と同様に、高速デジタル信号を生成する擬似乱数ノイズ信号源を利用する結果、このシステムの製造には非常に高いコストを要する。さらに、擬似乱数ノイズ信号源の出力信号レベルを常時把握している必要がある。
【０００４】
【特許文献１】独国特許出願公開第１９６  １８  ３３３  Ａ１号明細書
【特許文献２】米国特許第６，００５，８９１号明細書
【発明の開示】
【発明が解決しようとする課題】
【０００５】
従って、本発明は、車両搭載の少なくとも１個のアンテナをテストする方法を規定する目的に基づくものであり、診断は低コストかつ特に簡単な方法で、例えばラジオ、テレビ、移動ラジオ、またはＩＳＭ帯域等、一帯域内のすべての周波数で実行可能である。さらに、別の目的として、設置状態でアンテナをテストする際に特に簡単な構成を指定することである。さらに別の目的は、テスト信号源のレベルを知る必要がなく、このため低コストのテスト信号源を使用することが可能になる。
【課題を解決するための手段】
【０００６】
本発明に従って、請求項１及び請求項６の特徴により目的が実現される。従属請求項は、好適な設計の詳細と変形をカバーする。
【０００７】
本発明により得られる利点は特に、未較正ノイズ源からのノイズ信号を制御可能なカップリング・モジュールによりテスト信号としてアンテナへ供給する点である。単一のアンテナしか存在しない場合、アンテナ入力部で反射されるノイズ信号がテストモジュールにおいて受信された信号として評価される。このために、一帯域内の所定の周波数または２種以上の周波数における関連アンテナを表わす瞬間伝送係数を決定するために、受信された信号が適宜用いられる。これは、カップリング・モジュールを介してアンテナと受信器間を行き来するノイズ源の伝送動向を表わす基準伝送係数と比較される。可用なアンテナは、アンテナ側での反射を最小限に抑える。
【０００８】
２個以上のアンテナを含む多アンテナ系の場合、アンテナ間を伝送されるノイズ信号が各アンテナ入力部で反射されたノイズ信号と交互にまたは追加的に、解析および評価される。この目的のため、カップリング回路により未較正ノイズ源またはテスト信号源からのノイズ信号がアンテナまたはアンテナ群に供給され、隣接するアンテナにより受信されてテストモジュール内、特に音声やビデオ・チューナー等の受信器内の伝送行列手段により解析される。簡単な未較正ノイズ源、これは最も簡単な場合は受信器自体のノイズ源により形成される、によるこのような機能監視または診断により、特に低コストかつ簡単な構成が可能になる。特に、生産コストが極めて小さい。既存の受信器内の構成要素を用いる結果、本構成は全般的にほとんどスペースを必要とせず、この結果及びテストモジュールの一体化が相まって、例えば車両において、製造ラインの最後で複雑なテスト送信器を必要とせず、また車両に搭載して診断やテスト方法が用いられている場合、支援サービスを必要としない。
【０００９】
さらに、テスト信号としてノイズ信号を利用することにより、全ての周波数帯域をカバーする診断をアンテナまたはアンテナ群に実施することができる。特に、このようにノイズ信号に基づくテストはまた、アンテナまたはアンテナ群の可用性に対する外界の影響、例えば先行技術に基づくシステムでは不正確な診断に陥るような雪その他の外部干渉信号に関する評価を可能にする。特に、この方式ではアンテナまたはアンテナ群が設置された状態、従って車両を運転している最中でもテストおよび監視が保証される。
【発明を実施するための最良の形態】
【００１０】
本発明の好適な実施形態について、図面と合わせて以下の本文で更に詳しく説明する。
【００１１】
全ての図を通して、相互に対応する部分には同一の参照符号が付与されている。
【００１２】
図１に、車両（これ以上詳細には示さない）に搭載された２個以上のアンテナ２を備えたアンテナ系４をテストする回路構成１を示す。この場合アンテナ系４は、車両のウインドウガラス６、例えばリヤ・ウインドウ、サイド・ウインドウまたはリヤ・ウインドウ及び／またはサイド・ウインドウまたはウインドウ群と一体化されている。回路構成１は受信器モジュール８、及び、アンテナ２と受信器モジュール８との間に配置されたカップリング・モジュール１０を有している。アンテナまたはカップリング・モジュール１０を用いて各々のアンテナ２とチューナとも呼ばれる受信器モジュール８にノイズ信号Ｓを供給する。受信器モジュール８はまた、アンテナを介して伝達されるノイズ信号成分Ｓ’と、ノイズ源から受信器へ直接伝送されるノイズ信号成分Ｓ１との間の比率計算に基づいて瞬間伝送係数Ｕｖｉを決定するテストモジュール１２を有している。各々のアンテナ２の可用性を決定するために、テストモジュール１２は各々のアンテナ２についての伝送応答及び／または伝送路を表わす基準伝送係数Ｕｖｉｎｏｒｍ（（Ｕｖｎ−ｍ）とも表わす）が保存されている伝送行列１４を有している。アンテナ２の可用性は、瞬間伝送係数Ｕｖｉと基準伝送係数Ｕｖｉｎｏｒｍを比較して導かれる。アンテナ・モジュールとも呼ばれるカップリング・モジュール１０は、診断回路１６として、駆動可能な未較正ノイズ源１８及びＲＦスイッチ２０を有している。この場合のノイズ源１８は、受信器モジュール８において検出可能なすべての周波数帯域に対応している。
【００１３】
好適な一実施形態において、ノイズ源１８は増幅器回路内のバイポーラ・トランジスタ形式であってもよい。ここに提案する診断またはテスト方法では、較正済みノイズ源は必要でない。これにより、構成要素や温度に依存するノイズ源１８の瞬間周波数応答を決定する際の複雑さが回避される。例えば、駆動可能なＲＦスイッチ２０は、スイッチング・ダイオードの形式である。スイッチング・ダイオードの個数は、診断モードにおいて伝送アンテナ群2(n)として用いられるアンテナ２の個数に一致する。使用する伝送アンテナ群2(n)の個数が診断の評価信頼性に影響する。
【００１４】
診断回路１６は、製造コストはさほど大きくないが、レイアウトを変えることにより、アンテナ（増幅）モジュールの基板面に収容可能である。データはソフトウェアを書き足すことにより、チューナまたは受信器モジュール８において評価することができ、ハードウェアを追加する必要がない。回路構成１の特性及び実施形態に応じて、受信器モジュール８及びカップリング・モジュール１０は、汎用モジュールで形成することができる。さらに、個々のモジュールは、機能に応じてソフトウェア及び／またはハードウェアの形式をとり得る。さらに、要件に応じて個々のモジュールの構成や組合せは変わり得る。
【００１５】
スイッチング・ダイオードは、デジタル・カウンタ２１により駆動される。ビット転送速度が遅い場合、制御信号ＤＩは受信器モジュール８からデジタル・カウンタ２１へ２種の電圧状態を伝送する。制御信号ＤＩは、所与のＦＭダイバーシティ回路を駆動するため既に実施されたのと同様に既存のＲＦケーブル上を伝送することができる。制御信号ＤＩの各正エッジ毎にカウンタ２１が１つずつ切り替わることにより、アンテナ分岐Ａ、Ｂ、．．．、Ｚの全アンテナへ逐次切り替わっていく。最後のアンテナ分岐Ｚへ切り替わって診断が実行されたならば、次の正エッジでノイズ源１８がスイッチオフされるか、あるいはアンテナ分岐Ａ〜Ｚのどのアンテナにも切り替わらない状態に変わる。新規の診断サイクルにおいて次の正エッジで再び最初のアンテナ分岐Ａに切り替わる。
【００１６】
少なくとも２個のリヤ・ウインドウ・アンテナ２がＲＦスイッチ２０を介して伝送アンテナとして逐次接続される。少なくとも２個のアンテナ２を有するアンテナ系４において、アンテナ２の可用性は、好適にはアンテナ２間の近接場伝送を測定することにより測定される。基準伝送係数Ｕｖｉｎｏｒｍまたはアンテナ２間であらゆる可能なカップリングに関する項が伝送行列１４を形成する。瞬間伝送係数Ｕｖｉは、伝送行列１４に基づいて同様に決定され、基準伝送係数Ｕｖｉｎｏｒｍと比較される。この場合、それぞれのアンテナ２は伝送アンテナおよび受信アンテナの両方として用いられる。
【００１７】
伝送路は、伝送アンテナｎとして複数のアンテナ２のうち１個を介してノイズ信号Ｓを伝送することにより、またこれから生じた受信信号Ｓ’を残りのアンテナ２のうち１個を受信アンテナｍとして受信することにより、および関連する伝送アンテナｎのアンテナ入力部においてノイズ信号Ｓを反射することにより決定される。
【００１８】
伝送行列１４に基づく評価はさらに、２個以上のアンテナ２に影響を及ぼす恐れのある湿度、雪、外部干渉信号等の悪影響の識別を可能にする点が好都合である。テストまたは診断は、各々選択された伝送アンテナ群2(n)から受信アンテナ群2(m)を形成するもう一方の隣接するアンテナ２へのノイズ信号Ｓの伝送が、受信器モジュール８内で、特に全ての周波数帯域についてテストされるように実施される。各アンテナ２は、このように多くの周波数帯の伝送動向Ｕｖについてテストされる。ＦＭ帯域、最高テレビ帯域及びＡＭ帯域を適宜解析することにより、複数のアンテナ２の動作をテストして、伝送動向Ｕｖに基づいて確実かつ容易に決定することができる。この伝送状態は、ｎ番目の伝送アンテナとｍ番目の受信アンテナのｎとｍの異なる組合せについて更にテストされるため、外界における不具合の要因を除外することが可能である。
【００１９】
回路構成１が動作している間、ＲＦスイッチ２０が位置０にある場合、アンテナが通常動作する間はアンテナ経路２２上に一切のノイズ信号Ｓを通さない。診断またはテストモードにおいて、カップリング回路２４を介してアンテナ経路２２にノイズ信号Ｓが例えばＴ接合により、または容量性結合により連続的に供給されている状態で、ＲＦスイッチ２０は、逐次位置１及び２へ切り替えられる。そこでノイズ信号Ｓは、ノイズ源１８からチューナ８へ直接渡されるノイズ信号Ｓ１と、関連アンテナ２へ移動してアンテナ２から発せられるノイズ信号Ｓ２に分割される。関連アンテナ２の可用性に関する診断は、受信アンテナ２（ｍ）から受信された受信信号Ｓ２を、レベル評価のために直接供給されたノイズ信号Ｓ１と比較することでなされる。さらに、解析の範囲に応じて、伝送路に影響を及ぼす増幅器とフィルタ回路２６及び伝送に対するそれらの影響を考慮に入れてもよい。アンテナ２の２個以上または全てが伝送アンテナｎとして用いられるため、またアンテナ２の全てが受信アンテナｍとして用いられるため、システム全体を最大サイズがｎ×ｍである伝送行列１４で表現することができる。
【００２０】
レベル評価及び測定許容誤差の期待値に対する伝送行列１４の決定について、図２を参照しつつ以下の本文に記述する。これは例えば、３個のアンテナ２を有する多アンテナ系４を想定することに基いている。しかし、この原理はまた、２個以上のアンテナ２を有する他のシステムにも当てはまる。
【００２１】
伝送行列１４によるレベル評価の場合、信号レベルＳｉ１、Ｓｉ２及びＳｉ３は、伝送アンテナｎとして２個以上のアンテナｉ（ｉ＝１、２、３）を用いる際のレベル評価を行なうポートＩ、ＩＩ及びＩＩＩで各々検出される。完全に可用である確率が大きい、すなわち最適にマッチングがとれているアンテナ系４の場合、アンテナ入力部２で生じる反射は最小限である。レベルがＰｒ（ｆ）であるノイズ信号Ｓがアンテナ２の各々の信号経路２２に連続的に供給される。ノイズ出力の幾分かは各々接続されたアンテナ２を介して発せられ、一方、残りの部分は経路２２の各々のフィルタ増幅器回路２６を介して受信器モジュール８へ直接渡される。ノイズ源１８のレベルＰｒ（ｆ）は、受信器モジュール８内のテストモジュール１２による測定評価から決定できるため、測定の前に既知である必要はない。診断プロセスにおける測定結果はこのように、ノイズ源１８の許容誤差に依存しない。
【００２２】
想定される伝送係数または基準伝送係数Ｕｖｉｎｏｒｍ（ｆ）、最も狭い許容誤差δｖｉを有するフィルタ増幅器回路２６、および次式に基づく実際の伝送係数が瞬間ノイズ出力Ｐｒを決定する際の基礎値として用いられる。
Ｕｖｉ（ｆ）ここで  Ｕｖｉ（ｆ）＝Ｕｖｉｎｏｒｍ（ｆ）×（１＋δｖ１（ｆ））  …(1)
【００２３】
次式に従い、ポートＩにおける第一のアンテナ２に対するレベル評価において検出された信号レベルＳ１１を所与の測定許容誤差δｖに対するノイズレベルＰｒ（ｆ）の決定の基礎値として用いる。
Ｓ１１（ｆ）＝（Ｐｒ（ｆ）／２） × Ｕｖ１（ｆ）
＝（Ｐｒ（ｆ）／２ ）× Ｕｖ１ｎｏｒｍ（ｆ）×（１＋δｖ１（ｆ））  …(2)
Ｐｒ（ｆ） ＝ ２  Ｓ１１（ｆ）／（（Ｕｖ１ｎｏｒｍ（ｆ））×（１＋δｖ１（ｆ））…(3)
【００２４】
ノイズ源１８のノイズ特徴はこのように、各成分について個々に異なっていたり、温度に依存する場合があるため、予めわかっている必要はない。これにより、簡単な低コストのノイズ源１８を製造することができる。ノイズレベルＰｒ（ｆ）が決定されたならば、他のフィルタ増幅器回路２６の伝送係数Ｕｖ２（ｆ）及びＵｖ３（ｆ）を各々の信号レベルＳ２２及びＳ３３から決定することができる。
Ｕｖ２（ｆ） ＝ ２Ｓ２２（ｆ）／Ｐｒ（ｆ）；
Ｕｖ３（ｆ） ＝ ２Ｓ３３（ｆ）／Ｐｒ（ｆ）            …(4)    
【００２５】
基準伝送係数Ｕｖ２ｎｏｒｍ（ｆ）及びＵｖ３ｎｏｒｍ（ｆ）または各々の周波数帯の名目値との比較により、各々のフィルタ増幅器回路２６の可用性をこれらの係数Ｕｖ２（ｆ）及びＵｖ３（ｆ）から容易に導くことができる。ノイズ出力Ｐｒの許容誤差δｖもまた、これらの係数Ｕｖ２（ｆ）及びＵｖ３（ｆ）から得られる。アンテナ２間の伝送係数Ｕａ１２（ｆ）及びＵａ１３（ｆ）により、次式に基づいて伝送路２８の許容誤差を較正することが可能になる。
Ｕａ１２（ｆ）＝Ｓ１２（ｆ）／Ｓ２２（ｆ）；
Ｕａ１３（ｆ）＝Ｓ１３（ｆ）／Ｓ３３（ｆ）            …(5)  
【００２６】
アンテナ系４の評価は常にその感度に関係するため、受信器８の指示許容誤差はこの解析に含まれていない。これは、受信器８の感度が高い場合、アンテナ系４の伝送特性が相応に低いことを意味する。アンテナ系４に要求される品質はこのように診断システムまたは回路構成１により、利用可能なチューナ感度の関数として常に評価される結果、品質が同一であるシステム１全体（受信器８及びアンテナ系４）は常に同一であるとの評価が得られる。
【００２７】
伝送係数Ｕａは、アンテナ２の可用性に関する情報を提供するだけでなく、アンテナ２間の伝送路２８がどの程度干渉を受けるかに関する情報も提供する。例えば、複数のアンテナ２が雪で覆われている場合、伝送係数Ｕｖｉ（ｆ）の全ては同程度に干渉され、診断アルゴリズムは不具合があるのはアンテナ２ではなく、全ての伝送路２８が影響を受けているものと識別する。例えばリヤ・ウインドウ６が異物で覆われている等、アンテナ２の状態は瞬間的に決定された伝送係数Ｕｖｉ（ｆ）の大きさの関数として導かれる。
【００２８】
図３に回路構成１の別の実施形態を示す。ここでは、受信器モジュール８のさまざまな周波数帯をテストするために、診断回路１６が、各々ＲＦスイッチ２０の位置１及び２に応じてＦＭ帯域またはＡＭ帯域の対応伝送分岐３０または３２にノイズ信号Ｓを供給することを意図している。この場合の回路構成１は、ＡＭ及びＦＭ帯域用の２アンテナ系４を備えている。図４に、４倍ダイバーシティを有するＡＭ帯域及びＦＭ帯域用の５アンテナ系４の回路構成１の更に別の実施形態を示す。ダイバーシティを有するＦＭ帯域をテストするためにはＲＦスイッチ２０の位置の個数をアンテナの適当な個数分増やす必要がある。テスト手続きは上述のように実行される。これは、ノイズ源１８からのノイズ信号ＳがＲＦスイッチ２０により各アンテナ２に個別に供給されることを意味する。隣接アンテナ２の１本により受信された各々の受信信号Ｓ’及び伝送されたノイズ信号Ｓに基づいて、アンテナ２の全ての可能な組合せについて関連する伝送係数Ｕｖｉ（ｆ）が決定されて、伝送行列１４用の基準伝送係数Ｕｖｉｎｏｒｍ（ｆ）と比較される。
【００２９】
アンテナ２の可用性をテストする上述の方法は、アンテナの種類には依存しない。図５に、ＡＭ、ＦＭ及びＴＶダイバーシティのいわゆる高機能バージョン用の５アンテナ系４の更なる診断回路の一実施形態を示す。例えば図５に示すように、受信されたレベルに関する情報を評価すべくＡＭ／ＦＭ受信器８へ伝送されるように付随するＦＺＶ受信器３８がデータ線４０を介してＡＭ／ＦＭチューナ８に接続している場合、上述の方法に基づいてＦＺＶアンテナ３６（ＦＺＶ＝無線中央ロッキング）を調べることも可能である。
【００３０】
車両に適合された装置に応じて代替的あるいは付加的に、ＴＶ、ＡＭ及びＦＭアンテナへの広帯域カップリングを介して携帯電話及び／またはＧＰＳアンテナの可用性を調べることも可能である。この場合、個々のアンテナ２を車両に組み込む場所と方法は無関係である。
【００３１】
回路構成１の動作において、図１〜５の１つに示すように、ｎ個のアンテナ２の全体が伝送アンテナとして逐次接続されている。伝送動向Ｕｖを表わすために、伝送アンテナ２の個数ｎに応じて対応する受信アンテナ２の個数ｍ、従ってｎ×ｍ項のレベル情報が決まり、これは好適にはレベルまたは伝送行列１４の形式をとる。伝送行列１４の各伝送係数Ｕｖｉについて許容範囲を生成することができ、これらは、
１．各々の場合に一対のアンテナ２（ｎ、ｍ）のカップリングが関連付けられていて、
２．伝送行列１４内の瞬間的に測定された伝送係数Ｕｖｉの全てに依存する。
【００３２】
値が許容範囲を超えた場合、伝送行列１４に基づいて１個以上のアンテナ２に不具合があると判定される。
【００３３】
例えばリヤ・ウインドウ６上の氷のように、１個以上のアンテナ２に影響を及ぼす外界からの干渉作用は、診断プロセスにおいて値の範囲を瞬間的な受信状態と動的にマッチングさせることにより適宜解析及び識別される。
【００３４】
以下の表１に、４個のアンテナ２を有するアンテナ系４用の伝送行列１４の一例を示す。
【００３５】
【表１】
2005518172.tif 000003
【００３６】
ここで、Ａｎｔｎ＝伝送アンテナの個数、Ａｎｔｍ＝受信アンテナの個数、ＴＸ＝送信器、ＲＸ＝受信器、Ｐｎｍ＝信号レベルである。
【００３７】
回路構成１の性質及び機能に応じて、伝送行列１４は情報項として、関連するアンテナの組合せに対する基準伝送係数Ｕｖｉｎｏｒｍ及び／または瞬間伝送係数Ｕｖｉを表わすレベル及び／または周波数値を有している。診断の間、瞬間伝送係数Ｕｖｉは、各々のアンテナ２の組合せ（ｎ、ｍ）について基準伝送係数Ｕｖｉｎｏｒｍと比較される。これを実行するためには、伝送行列１４を例えば車両を初めて使用する前、すなわち製造時点で初期化しておく必要がある。この目的で、診断を行なう際の基になる基準知識が生成される。知識生成及び評価のために可能な一方法を以下の本文に記述する。
【００３８】
診断は、多数のステップで行なわれる。
Ｉ）症状生成
（例えば伝送行列１４内の利用可能な情報に基づく）
ＩＩ）不具合の識別
ＩＩＩ）不具合の局所化
【００３９】
例えば、図６に以下のステップからなる診断アルゴリズムのフロー図を示す。
（１）例えば測定に基づく行列要素の記録、タイプ固有の値の事前設定、あるいは保存されている既存値の読み込み。
（２）伝送出力及び伝送損失に関する行列要素の正規化による較正。較正は、伝送行列１４の対角要素に基づいて行なわれる。
（３）深刻な干渉を受けるリヤ・ウインドウの結氷または電磁場のような「異常な状態」の識別。
（４）保存された不具合の状態との比較による、または決定ネットワークによる評価。周波数解析または振幅解析に基づいて、代替的にまたは付加的に、アンテナ２またはアンテナ２の組合せ（ｎ、ｍ）を識別することができる。
（５）フィルタリング、妥当性チェック、すなわち診断プロセスがｎ回実行される。要件に応じて、不具合の状態をｎ回検知することに成功して初めて不具合メッセージが発行され、さもなければメッセージが生成されないか、あるいは「異常なし」メッセージが発行される。すなわち、２回以上満足な状態が識別された場合、不具合メモリはリセットされる。
【００４０】
測定及び診断方法について、実例を参照しつつ以下の本文で説明する。異なるリヤ・ウインドウのアンテナ２間の近接場における伝送動向を、いわゆるネットワーク・アナライザにより測定する。伝送動向の測定は、ノイズ信号Ｓをアンテナ２に連続的に供給することにより行なわれる。実際の車両に対する場の動向を推定するために、車両ルーフ、Ｃピラー、及び鋼板部品が電気的に接続されたリヤ・カバーがモデル化された。不具合のあるアンテナ２だけでなく無傷のアンテナ２についても測定が行なわれた。例えば、ウインドウガラスの接触における不連続性、及び／またはリヤ・ウインドウ６上のアンテナ導線における不連続の有無を調べた。伝送動向に対する水分の影響も測定した。
【００４１】
アンテナ増幅器を切断した状態で、伝送またはノイズ信号Ｓを直接アンテナ２に供給した。伝送アンテナ２は、従ってマッチングされなかった。マッチングした上で伝送アンテナ２に供給するのであれば伝送項の方が適している。以下の表に含まれる値はｄＢ単位のＳ２１伝送係数であり、各々の場合に１００ＭＨｚのＦＭ波で測定されている。Ｓ２１伝送係数は、近接場を介してカップリングされた各々のアンテナ２間の伝送項または伝送係数Ｕｖｉを表わす。複数のアンテナ２が可用である正常な状態に加えて、多くの種類の不具合な状態及び伝送項に対するそれらの影響を調べた。不具合な状態は、ウインドウガラスの接触不良、ウインドウガラス・アンテナ導線の断線、ウインドウガラスに水が掛かってアンテナ２の近接場が影響を受けた、あるいはアンテナ２の近接場にある金属面により生じた。
【００４２】
６個のアンテナ２を含み、リヤ・ウインドウ６に一体化されたアンテナ系４に一切不具合のない正常な状態の場合、周波数ｆ＝１００ＭＨｚ（ＦＭバンド）について表２に示す伝送行列が得られる。
【００４３】
【表２】
2005518172.tif 000004
【００４４】
伝送行列１４により決定された瞬間伝送係数Ｕｖｉは全て−２５ｄＢより良い値であり、近接場伝送に要求される伝送出力の期待値が従来の遠隔場伝送／受信状態に関して測定されたが、非常に低い。
【００４５】
アンテナ２との接触不良の検出を示すために、異なる厚さの紙の層を挿入してウインドウガラス接触を劣化させたり、またはアンテナＦＭ１及びＴＶ３への接続を遮断した。表２に示すように、アンテナの組合せＦＭ１及びＴＶ３は通常、−２２．３７ｄＢのＵｖｉ伝送係数を有している。
【００４６】
表３に、伝送行列１４によりこの例で決定された伝送係数Ｕｖｉが大幅に変わることで、接触不良が伝送動向に及ぼす影響を示す。
【００４７】
【表３】
2005518172.tif 000005
【００４８】
この場合の最終的な不具合状態「ウインドウガラスの前面に置かれた金属シート」は、例えば、リヤ・ウインドウ６上に氷や水等の導電材料が置かれた結果として生じる不具合な状態をシミュレーションする。
【００４９】
さらに、例えばアンテナＴＶ３用の導体路またはアンテナＴＶ３とＦＭ２用の導体路の両方を切断することにより、モデル化されたようなアンテナの不連続性が存在する。この場合、カップリングまたはＲＦスイッチ２０用のドライブに応じて、テストまたはノイズ信号ＳがアンテナＦＭ２またはＦＭ１を介して伝送される。伝送行列１４により決定される伝送係数Ｕを以下の表４Ａ〜４Ｃに示す。
【００５０】
【表４】
2005518172.tif 000006
【００５１】
【表５】
2005518172.tif 000007
【００５２】
【表６】
2005518172.tif 000008
【００５３】
全ての不具合な状態は、伝送項Ｕの減少または増加から明確に識別できる。このように上述の方法により、個々のアンテナ２の可用性が特に容易かつ確実に診断可能になる。アンテナの種類に応じて、更に別の伝送特性または動作パラメータを考慮に入れてもよい。例えば、ＦＭアンテナに不具合が生じた場合のＵＨＦ帯域（８００ＭＨｚ）でいわゆるクロスカップリング係数ＳがＦＭ１→ＦＭ３と上昇するのは、電気的に有効なアンテナ長が短くなるためと説明できる。一方、ＦＭ帯域での同じ不具合からは対応するカップリングの減少が生じる。
【００５４】
アンテナ２を更にテストして、リヤ・ウインドウ６に水をかけた影響、またはリヤ・ウインドウ６の近くに他の物体が存在することにより生じる変化について解析した。表５Ａ、５Ｂに示すように、１００ＭＨｚで水をかけても伝送動向に実質的に何ら影響を及ぼさない。一方、物体、特に導電体がリヤ・ウインドウ６の前に近接して置かれた場合、個々のアンテナ対の伝送動向に重大な影響をもたらすため、これらの変化は診断で示される。
【００５５】
【表７】
2005518172.tif 000009
【００５６】
【表８】
2005518172.tif 000010
【００５７】
図７に、回路構成１の別の実施形態の例を示す。回路構成１は、単一アンテナ系４向けに設計されている。この場合、伝送アンテナから受信アンテナ２へ伝送されるノイズ信号Ｓを評価するのではなく、単一アンテナ２に関連するアンテナ入力部４２で反射されたノイズ信号Ｓ２を、伝送されたノイズ信号Ｓ１に基づいて解析および評価する。アンテナ２のわずかな損傷でもマッチングに悪影響を及ぼすため、反射は入力部４２で生じる。ＲＦスイッチ２０が位置０にある場合、アンテナが通常動作している間、ノイズ源１８からアンテナ経路２２へノイズ信号Ｓを一切通過させない。診断モードではＲＦスイッチ２０は位置１にある。次いでノイズ信号Ｓは、例えばＴ要素であるカップリング・ネットワーク２４を介してアンテナ経路２２へカップリングされ、ここでノイズ信号Ｓは、ノイズ源１８から受信器モジュール８へ直接渡されるノイズ信号Ｓ１と、アンテナ２へ移動してアンテナ２で反射されるノイズ信号Ｓ２に分割される。
【００５８】
ノイズ信号Ｓ１とＳ２の重畳は、ノイズ源１８から受信器８へ直接渡されるノイズ信号Ｓ１、及び反射されたノイズ信号Ｓ２を含み、ノッチを有する特徴的な周波数特性が得られ、そこからアンテナ２の状態に関する結論が導かれて評価される。しかし、これは周波数特性が既知である較正済みノイズ源１８に依存する。アンテナ２の可用性は、ノイズ信号Ｓ１とＳ２の重畳周波数特性と、ノイズ信号Ｓ１の周波数特性を比較することでのみ決定することができる。
【００５９】
較正済みノイズ源１８を低コストの未較正ノイズ源１８で代替可能にすべく、図８に示すように静的カップリング回路２４切り替え機能が追加されて、切り替え可能カップリング回路４４用に位置２及び３が付加されている。スイッチの位置２において、ノイズ信号Ｓ１は受信器８へ直接渡され、そこで検出される。これは、アンテナ経路２２が開いていることを意味する。瞬間ノイズ信号Ｓ１の周波数特性は、そのとき既知であってレベル評価のために保存される。次いでアンテナ経路２２が閉じるように、切り替え可能カップリング回路４４により位置３が選ばれる。ここでノイズ信号Ｓ１とＳ２の重畳の周波数特性が伝送行列１４に基づくレベル評価において検出され、保存されているノイズ信号Ｓ１の周波数特性と比較される。
【００６０】
切り替え可能カップリング回路４４または開スイッチに代わるものとして、ノイズ信号Ｓ１と、規定されたインピーダンスＺで反射されたノイズ信号Ｓ２との重畳を測定してノイズ信号Ｓ１を基準測定すべく解析可能であり、その際に純粋なノイズ信号Ｓの周波数特性へ戻って計算が実行される。これに付随する回路構成１の例を図９に示す。
【００６１】
図７〜９に示す単一アンテナ系４の実施形態の周波数特性は、アンテナ２の可用性に可能な限り正確な診断を下せるようにすべく、比較的広い周波数帯域で検出および解析される。これは、アンテナ２が損傷しても、重畳されたノイズ信号Ｓ１＋Ｓ２の中位周波数ｆｍでは大幅なレベル変化が必ずしも生じないからである。
【００６２】
狭い周波数帯域ｆを解析する場合、反射された信号Ｓ２のレベル変化からアンテナ２の可用性を導くことができるように、指向性カップリング回路４６、例えば図１０に示すような指向性カプラーを用いるのが好適である。この場合、反射された信号Ｓ２だけが検出され、アンテナ２が機能している場合、そのレベルはノイズ信号Ｓ１よりかなり低い。この場合のレベル評価は、既知のノイズ信号レベルＳ１に依存する。この実施形態は、較正済みノイズ源１８を必要とする。
【００６３】
低コストの未較正ノイズ源１８を使用可能にするために、図１１に示すように信号フローの方向が切り替え可能な指向性カップリング・ネットワーク４８を用いる。例えば、交互に切り替え可能入力部Ｅ１、Ｅ２を備えた指向性カプラーをこの目的で提供する。スイッチ位置１において、ノイズ信号Ｓは、指向性カプラー４８を介してアンテナ２へ渡され、レベル評価において信号Ｓ２として反射および検出される。スイッチ位置２において、ノイズ信号Ｓは指向性カプラー４８を介してレベル評価へ直接渡され、そこで基準信号Ｓ１として検出される。
【００６４】
ここで図１２〜１４に、図１１に示す構成の改良された形式を示す。ここで診断は未較正、低コストのノイズ源１８を用いて同様に可能である。この場合、未較正とはノイズ源の伝送出力が不明であることを常に意味し、例えば伝送出力における大きな温度ドリフトが許されるような再現可能な値を想定する必要はない。これらの実施形態について図１１と比較した設計と機能の違いだけを以下の本文で更に詳細に説明する。
【００６５】
低コストの未較正ノイズ源を利用可能にするために、図１２に示す実施形態は切り替え可能信号フロー方向を有する指向性カップリング・ネットワーク５０を用いる。この場合も、図１１に示した実施形態、および図１２に示した実施形態と同様に、交互に切り替え可能入力部を有する指向性カプラーが用いられる。しかし、図１１とは対照的に、一方の入力部が５０Ωのインピーダンスにより停止される。さらに、図１２に示す実施形態は図１１に示す実施形態とは対照的に、切り替え可能増幅器を備えた改良型フィルタ増幅器回路２６’を有している。さらに、スイッチ４９も提供されていて、切り替え可能増幅器と合わせて用いられる、ノイズ源１８からアンテナ２を介して受信器８へ向かう信号経路から、ノイズ源１８から直接受信器８へ入る信号経路への切り替え及び逆向きの切り替えを行なう。スイッチ位置２において、ノイズ源１８からのノイズ信号Ｓは指向性カプラー５０を介してレベル評価へ直接渡され、そこでノイズレベルを決定及び較正可能にするために基準信号Ｓ１として検出される。ノイズ信号Ｓを直接測定する場合、受信器８へのアンテナ２を介した信号経路を中断するために、切り替え可能増幅器２６’はスイッチオフ、すなわちスイッチ位置４へ切り替えられる。さらに、減衰器ＤＧを経路内に挿入して、求められる任意のレベル低下を行なう。スイッチ位置３及び５において、ノイズ信号Ｓはアンテナ２へ渡され、そこで反射されて、アンテナ・モジュール１０内の改良型フィルタ回路２６’を介して受信器８へ渡され、その中でレベル評価において信号Ｓ２として検出される。アンテナ２に加えて、改良版フィルタ回路２６’の動作をこのように点検することができる。ＲＦスイッチ２０がスイッチ位置０にある場合、通常動作のためにノイズ源１８はスイッチオフされる。
【００６６】
図１３に、切り替え可能増幅器を備えた改良型フィルタ回路２６’が利用できず、図１１に示したフィルタ回路しか利用できない場合における図１２に示した実施形態の改良型を示す。この場合、スイッチ位置４’及び５’を備えた追加のスイッチ５１をさらに提供して、それにより図１２の改良型フィルタ回路２６’内の切り替え可能増幅器に提供されたスイッチ位置４及び５が代替される。この追加されたスイッチを用いることにより、図１２に示したものと合わせて同じ機能が実現可能になる。
【００６７】
追加されたスイッチ５１を利用する結果、ＲＦスイッチ２０を省略することも可能になる。その結果得られる回路を図１４に示す。この場合、スイッチ位置３及び４の組合せによりノイズ源１８をスイッチオフできるため、ＲＦスイッチ２０がノイズ源１８をスイッチオフする必要はない。
【００６８】
本発明により実現される効果は特に、送信器としてアンテナ・モジュール１０に一体化できるノイズジェネレータ１８を利用可能である点である。チューナまたはトランシーバは、診断モードに切り替えられていれば、受信器８として利用できる。これにより、特に低コストの送信器が得られる。受信器８が既に存在するため、診断機能のためにソフトウェアを追加すればよい。
【００６９】
本発明の更に別の実施形態として、アンテナ２とは別に、受信器モジュール８に接続されていないアンテナを追加して提供することができる。ここでノイズ信号Ｓは、ノイズジェネレータ１８からこの追加されたアンテナに供給される。追加されたアンテナによって、このノイズ信号は、１つ又は複数のアンテナ２へ伝送される。これから生じる各々の受信信号Ｓ’またはＳ２は、受信器モジュール８内のテストモジュール１２により受信及び評価される。
【００７０】
上述のように、本発明はアンテナ診断用に極めて簡単かつ低コストのテスト信号源の利用を開示する。これは特に、経済的に有利な、出力が既知である必要のない安価なノイズ信号源を用いることにより実現される。ノイズ源は、信号スペクトルが広いため、ＡＭ、ＦＭ、ＴＶ等の多様な周波数帯域のアンテナのテストに適している。各々の場合に伝送アンテナとして異なるアンテナを逐次用いることにより、異なるアンテナ組の間の近接場カップリングを表わす伝送行列を生成することが可能になる。この伝送行列により、ノイズ源またはテスト信号源の信号出力を較正することができる。このように、あらゆる従来方法とは対照的に、レベルが既知である必要がなく、再現可能である必要もない簡単かつ低コストのテスト信号源を使用することが可能になる。伝送行列はさらに、外界の干渉信号だけでなくアンテナを覆う氷、雪、または落ち葉等、全てのまたは２個以上のアンテナに作用する外界の影響を較正するために利用される。較正回路の指向性カプラーを用いて単一アンテナ系が構成される。この場合、構成内のチューナにおける２個以上のスイッチ位置の各々について受信レベルが測定される。安価な信号源の出力を異なるレベル値から決定して、較正することができる。本較正回路は無論、２個以上のアンテナにも利用可能である。
【００７１】
要約すれば、本発明は少なくとも１個のアンテナ２をテストする方法を開示し、当該アンテナ２は受信器モジュール８及び当該アンテナ２と受信器モジュール８との間に配置されたカップリング・モジュール１６を有している。この場合、カップリング・モジュール１６により、アンテナ２及び受信器モジュール８に対しテスト信号としてノイズ信号Ｓが供給される。次いで瞬間伝送係数がテストモジュール１２により、ノイズ信号Ｓ、Ｓ１と、ノイズ信号Ｓ、Ｓ１から生じた受信信号Ｓ’、Ｓ２、の重畳に基づいて決定され、伝送行列に保存されている基準伝送係数と比較される。さらに、本発明による方法を実行するための構成も同様に開示する。
【図面の簡単な説明】
【００７２】
【図１】多アンテナ系の可用性をテストする回路構成を示す模式図である。
【図２】多アンテナ系におけるテスト信号の信号波形を示す模式図である、
【図３】図１に示す回路構成の別の実施形態であって、ＡＭ帯域及びＦＭ帯域向けの切り替え可能伝送路、及び多様なＦＭ帯域を有するものを示す模式図である。
【図４】図１に示す回路構成の別の実施形態であって、ＡＭ帯域及びＦＭ帯域向けの切り替え可能伝送路、及び多様なＦＭ帯域を有するものを示す模式図である。
【図５】図１に示す回路構成の別の実施形態であって、ＡＭ帯域及びＦＭ帯域向けの切り替え可能伝送路、及び多様なＦＭ帯域を有するものを示す模式図である。
【図６】テストアルゴリズムの模式的なフロー図である。
【図７】個々のアンテナの可用性をテストする回路構成を示す模式図である。
【図８】個々のアンテナの可用性をテストする回路構成を示す模式図である。
【図９】個々のアンテナの可用性をテストする回路構成を示す模式図である。
【図１０】個々のアンテナの可用性をテストする回路構成を示す模式図である。
【図１１】個々のアンテナの可用性をテストする回路構成を示す模式図である。
【図１２】個々のアンテナの可用性をテストする回路構成を示す模式図である。
【図１３】個々のアンテナの可用性をテストする回路構成を示す模式図である。
【図１４】個々のアンテナの可用性をテストする回路構成を示す模式図である。
【符号の説明】
【００７３】
２  アンテナ
６  ウインドウガラス
８  受信器モジュール
１０  カップリング・モジュール
１２  テストモジュール
１４  伝送行列
１６  診断回路
１８  ノイズ源
２０  ＲＦスイッチ
２１  デジタル・カウンタ
【図１】
2005518172.tif 000011
【図２】
2005518172.tif 000012
【図３】
2005518172.tif 000013
【図４】
2005518172.tif 000014
【図５】
2005518172.tif 000015
【図６】
2005518172.tif 000016
【図７】
2005518172.tif 000017
【図８】
2005518172.tif 000018
【図９】
2005518172.tif 000019
【図１０】
2005518172.tif 000020
【図１１】
2005518172.tif 000021
【図１２】
2005518172.tif 000022
【図１３】
2005518172.tif 000023
【図１４】
2005518172.tif 000024
【国際調査報告】
2005518172.tif 000025
2005518172.tif 000026
2005518172.tif 000027
2005518172.tif 000028